(57)【要約】      （修正有）【課題】昨今の急激な重油高騰に効果的に簡易的に対応可能な暖房装置を提供する。【解決手段】室内機２および室外機３を有する空冷ヒートポンプ式暖房機と、重油焚暖房機４とを備えた暖房装置とした。また、室内機および上記重油焚暖房機を加温する建物Ｈ内に設置して、上記重油焚暖房機の排気管４０を上記建物の内部から外方に配管した。また、室外機を上記建物の外方の排気管の周囲に設置し、かつ上記室外機及びその周囲の排気管の外周をカバー材５によって覆った。【選択図】図１
2010019485.tif 000002
【特許請求の範囲】
【請求項１】
室内機および室外機を有する空冷ヒートポンプ式暖房機と、重油焚暖房機とが備えられ、
上記室内機および上記重油焚暖房機が、加温する建物内に設置されるとともに、上記重油焚暖房機の排気管が上記建物の内部から外方に配管されて、上記室外機が上記建物の外方の上記排気管の周囲に設置され、かつ
上記室外機及びその周囲の排気管の外周がカバー材によって覆われていることを特徴とする暖房装置。
【請求項２】
上記カバー材は、黒色のプラスチックであって、上記室外機及びその周囲の排気管の外周を覆う筺体を構成しており、かつ上記筺体の上部には、上記排気管の終端部を当該筺体の内方から外方に引き出す開口が形成されていることを特徴とする請求項１に記載の暖房装置
【請求項３】
上記室外機は、その熱交換器が上記開口の下方に位置するように設けられていることを特徴とする請求項２に記載の暖房装置。
【請求項４】
上記熱交換器として、熱交換コイルが上記排気管周りに巻回されていることを特徴とする請求項３に記載の暖房装置。
【発明の詳細な説明】
【技術分野】
【０００１】
本発明は、特に、園芸ハウス用の暖房装置に関するものである。
【背景技術】
【０００２】
従来から、園芸ハウスにおいては、重油焚暖房機が使用されており、この暖房機により一定温度以上に保った温室とされたハウス内において、作物などが育成されている。
【０００３】
ところが、昨今の重油高騰により、重油焚暖房機を使用している施設園芸は、暖房費が嵩んで、作物などの生産コストが急上昇している。
このため、このような施設園芸においては、この重油焚暖房機に加えて、特許文献１に示すように、空冷ヒートポンプ式暖房機、いわゆる、エアコンを用いることで、例えば、重油使用量を半分相当削減して、全体としての暖房コストを３０％程度削減する試みが為されている。
【０００４】
この重油焚暖房機と空冷ヒートポンプ式暖房機とを併用するハイブリッドの暖房装置では、重油焚焚暖房機とヒートポンプ式暖房機とが温室の暖房負荷の半分ずつを賄うことによって、上述のように暖房コストが３０％程度削減されている。
【０００５】
しかしながら、この空冷ヒートポンプ式暖房機は、外気温が低い寒冷地などで使用すると、室外機の熱交換率が悪くなることから、熱効率が低下して、成績係数ＣＯＰも低減してしまうため、運転効率が低下してしまう。また、室外機が低温になる度に霜をとる霜取り運転、いわゆるデフロストを頻繁に行うため、運転効率のさらなる低下を招いてしまう。
そのために、上述のハイブリッドの暖房装置を用いた場合にも暖房コストを上記計算通りに３０％程度低下させることは、現実的には難しいという問題がある。
【０００６】
さらに、空冷ヒートポンプ式暖房機以外にも寒冷地用ヒートポンプ、水冷式ヒートポンプ、ガスヒートポンプなどがあり、これらのヒートポンプは、寒冷地などで熱効率よく使用可能であるものの、一般家庭などで使用されず市場における販売台数が著しく少ないため、導入コストが著しく高くなってしまうという問題がある。
【０００７】
【特許文献１】特開昭６２−１１１６１７号公報
【発明の開示】
【発明が解決しようとする課題】
【０００８】
そこで、本発明は、昨今の急激な重油高騰に、重油の使用量を減少させて効果的に、かつ導入コストを抑えて簡易的に対応可能な暖房装置を提供することを課題とするものである。
【課題を解決するための手段】
【０００９】
すなわち、請求項１に記載の本願発明に係る暖房装置は、室内機および室外機を有する空冷ヒートポンプ式暖房機と、重油焚暖房機とが備えられ、上記室内機および上記重油焚暖房機が、加温する建物内に設置されるとともに、上記重油焚暖房機の排気管が上記建物の内部から外方に配管されて、上記室外機が上記建物の外方の上記排気管の周囲に設置され、かつ上記室外機及びその周囲の排気管の外周がカバー材によって覆われていることを特徴としている。
【００１０】
請求項２に記載の発明は、請求項１に記載の暖房装置において、上記カバー材は、黒色のプラスチックであって、上記室外機及びその周囲の排気管の外周を覆う筺体を構成しており、かつ上記筺体の上部には、上記排気管の終端部を当該筺体の内方から外方に引き出す開口が形成されていることを特徴としている。
【００１１】
請求項３に記載の発明は、請求項２に記載の暖房装置において、上記室外機は、その熱交換器が上記開口の下方に位置するように設けられていることを特徴としている。
【００１２】
請求項４に記載の発明は、請求項３に記載の暖房装置において、上記熱交換器として、熱交換コイルが上記排気管周りに巻回されていることを特徴としている。
【発明の効果】
【００１３】
請求項１ないし４のいずれか一項に記載の暖房装置によれば、重油焚暖房機の排気管から放出される高温の排気ガスが排気管を通じて、カバー材内の外気を加熱し、かつこの加熱された外気の熱がカバー材内に閉じ込められるため、外気温の低い寒冷地などで使用した場合にも霜の発生を抑えることができ、空冷ヒートポンプ式暖房機の霜取り運転による暖房装置の運転効率の低下を防止できる。
その際には、カバー材内に閉じ込められている熱量によって、室外機の熱交換器の温度低下を抑制できるだけでなく、熱交換機を加熱して、ヒートポンプの熱効率を高めることができ、外気温が低いことによるＣＯＰの低減を阻止できる。
【００１４】
従って、重油焚暖房機と空冷ヒートポンプ式暖房機とを併用し、さらに、室外機及びその周囲の排気管をカバー材によって覆うことによって、昨今の急激な重油高騰に対して、重油の使用量を確実に減少させて効果的かつ簡易的に対応することができる。
【００１５】
特に、請求項２に記載の暖房装置によれば、カバー材によって室外機及びその周囲の排気管の外周を覆う筺体を構成しているため、この筺体内に上述の排ガスが排気管を通じて加熱した外気の熱を効果的に閉じ込めて、霜の生成による運転効率の低下を防止でき、かつＣＯＰの低減を阻止できる。
さらには、このカバー材は、黒色のプラスチックであるため、太陽光の熱量を効率的に吸収して、筺体内を効果的に加熱でき、かつ金属等と異なって熱伝導率が高くないことから、伝熱による放熱を抑制することができる。
【００１６】
また、請求項３に記載の暖房装置によれば、室外機の熱交換器が排気管を外方に引き出す筺体の開口の下方に位置するように設けられているため、周囲の外気の流動性が高く、熱交換器が効果的に加熱されることから、ヒートポンプの熱効率を高めることができ、さらに、請求項４に記載の暖房装置によれば、熱交換器として熱交換コイルを排気管周りに巻回することによって、一段と効果的にヒートポンプの熱効率を高めることができる。
【発明を実施するための最良の形態】
【００１７】
以下に、本発明に係る暖房装置の一実施形態について、図１〜図３を用いて説明する。
本実施形態の暖房装置は、ビニールハウスなどの園芸ハウス（建物）Ｈ内を昇温させる室内機２および室外機３を有する空冷ヒートポンプ式暖房機と、重油焚暖房機４とが備えられている。
【００１８】
この室内機２および重油焚暖房機４は、園芸ハウスＨ内に設置されるとともに、重油焚暖房機４は、その排気管４０が矩形筒状に形成されて、園芸ハウスＨの内方から外方に配管されている。そして、この園芸ハウスＨの外方の排気管４０の周囲に室外機３が設置されて、これら室外機３及びその周囲の排気管４０の外周が高断熱性かつ低熱伝導率のプラスチックからなる黒色の筺体５によって覆われている。
【００１９】
この筺体５は、園芸ハウスＨから接離する方向の奥行きが小さく形成された正面視略矩形状の扁平な中空六面体からなる筺本体５０と、この筺本体５０の上部に形成された開口から引き出された排気管４０の終端側の外周を覆う矩形筒体５１とが一体に形成されて構成されている。
この矩形筒体５１は、上記奥行きが筺本体５０と略同一の大きさに形成され、かつ上記園芸ハウスＨに沿って延在する筺本体５０の横幅方向一端部に一体に形成されている。
【００２０】
また、筺体５は、園芸ハウスＨと対向する背面部５ａが園芸ハウスＨから離間して設けられて、その背面部５ａが園芸ハウスＨとの間に外気を流通させる隙間を有して設置されており、背面部５ａの下部には、上記横幅方向他端部に、排気管４０を貫通させる貫通穴が形成されている。
さらに、筺体５の内部には、筺本体５０の横幅方向一端部側、すなわち、矩形筒体５１の開口の下方に、室外機３が設置されており、この室外機３は、ファン３０を正面部５ａに向けて、正面部５ａとの間に外気を流動させる隙間を有して設置されている。
【００２１】
これにより、室外機３は、内蔵された熱交換器（図示を略す）が矩形筒体５１の開口の下方に設けられており、室外機３と室内機２とは、図示されないヒートポンプによって接続されて、空冷ヒートポンプ式暖房機を構成している。
【００２２】
他方、排気管４０は、背面部５ａの貫通孔を通過した下流側が、上記終端側に向けて順に、正面部５ａに向けて配管され、この正面部５ａ側にて屈曲して、垂直上方に向けて配管され、筺本体５０内上部にて屈曲して室外機３の上方を上記横幅方向他端部から一端部に向けて水平に配管され、次いで、この一端部側にて屈曲して、垂直上方に向けて矩形筒体５１内を配管されている。すなわち、排気管４０は、室外機３の周りを引き回されて、その終端部４０ａが矩形筒体５１から外方に引き出されており、排気管４０の終端部４０ａには、ファン（図示を略す）が設けられている。
【００２３】
なお、上述の実施形態においては、室外機３の周りに排気管４０が引き回されて、室外機３に内蔵の熱交換器が排気管４０から独立して設けられているものの、排気管４０を室外機３に貫通させて、排気管４０の一部を室外機３内に組み込ませることにより、排気管４０周りに熱交換器として熱交換コイルを巻回してもよいものである。この場合には、排気管４０として伝熱部材を用いることによって、熱交換コイルが効果的に加熱されて、ヒートポンプの熱効率が著しく高められる。
【００２４】
次いで、上述の暖房装置を用いた場合の作用について、説明する。
まず、空冷ヒートポンプ式暖房機と、重油焚暖房機４とを作動させると共に、排気管４０のファン４０ａを作動させる。
すると、重油焚暖房機４から高温の排気ガスが排気管４０を通じて、その終端部４０ａから大気中に放出される。その際に、高温の排気ガスの熱が排気管４０を通じて筺体５内の外気を加熱し、かつこの加熱された外気の熱が筺体５によって閉じ込められるため、効果的に空冷ヒートポンプ式暖房機の室外機３が加熱される。これにより、外気温が低い場合にも霜の発生が抑えられ、かつ室外機３の熱交換器が加熱されるため、ヒートポンプの熱効率が高められる。
【００２５】
なお、空冷ヒートポンプ式暖房機および重油焚暖房機４の両方を作動させる必要のない程度の外気温である場合には、重油焚暖房機４をファン４０ａとともに作動させ、空冷ヒートポンプ式暖房機を作動停止させる。
または、重油焚暖房機４を作動停止させてもファン４０ａを作動させることにより、余熱によって排気管４０を通じて筺体５内を加熱して、空冷ヒートポンプ式暖房機のみを作動させる。
【００２６】
これにより、空冷ヒートポンプ式暖房機が作動している際には、必ず、排気ガスの熱によって排気管４０を通じて筺体５内が加熱されるため、同暖房機の霜取り運転による運転効率の低下が確実に防止され、かつ外気温が低いことによるＣＯＰの低減が確実に阻止される。
【００２７】
本実施形態の暖房装置によれば、重油焚暖房機４の排気管４０から大気中に放出される高温の排気ガスが、排気管４０を通じて筺体５内の外気を加熱し、かつこの加熱された外気の熱が筺体５に閉じ込められるため、外気温の低い寒冷地などで使用した場合にも室外機３などの霜の発生を抑えることができ、空冷ヒートポンプ式暖房機の霜取り運転による暖房装置の運転効率の低下を防止できる。さらに、室外機３の熱交換機が加熱されるため、ヒートポンプの熱効率を高めることができ、外気温が低いことによるＣＯＰの低減を阻止できる。
【００２８】
なお、本発明は、上述の実施形態に何ら限定されるものでなく、例えば、室内機２および重油焚暖房機４が園芸ハウスＨ以外の建物内に設置されて、暖房装置が園芸ハウスＨ以外の建物に使用されてもよいものである。
【図面の簡単な説明】
【００２９】
【図１】本発明に係る暖房装置を設置した園芸ハウスＨの外観正面図である。
【図２】図１の要部拡大図である。
【図３】図１の要部側面図である。
【符号の説明】
【００３０】
２  室内機
３  室外機
４  重油焚暖房機
５  筺体
４０  排気管
Ｈ  園芸ハウス（建物）
【図１】
2010019485.tif 000003
【図２】
2010019485.tif 000004
【図３】
2010019485.tif 000005